(57)【要約】【課題】バースト調光の位相制御を行なう専用のＩＣを不要で安価な放電管点灯装置。【解決手段】直流電源Vinの両端に接続され且つ共振回路9内の一次巻線Pとコンデンサとに電流を流すスイッチング素子Qp1,Qn1と、各々の放電管点灯装置のバースト調光の位相に位相差を持たせるために、入力された調光用基準信号が所定値になった時に動作を開始し、自己の放電管点灯装置に対して予め定められた所定の遅延時間を設定する遅延タイマー回路23と、コンデンサC2に対する充放電によりバースト調光用の三角波信号を発生するとともに遅延タイマー回路で設定された所定の遅延時間だけ調光用基準信号に対して三角波信号に遅延時間を発生する三角波発生器21と、三角波発生器で発生した三角波信号とバースト調光信号とを比較した比較出力に基づきスイッチング素子を間欠発振動作させるバースト調光用比較器25とを有する。【選択図】図１
2009016164.tif 000002
【特許請求の範囲】
【請求項１】
直流電力から交流電力に変換する複数の放電管点灯装置の各々の放電管点灯装置のバースト調光の位相に位相差を持たせて前記交流電力を順次複数の放電管に供給して複数の放電管をスキャン点灯させる放電管点灯装置のスキャン点灯システムであって、
前記複数の放電管点灯装置の各々は、
トランスの一次巻線と二次巻線との少なくとも一方の巻線にコンデンサが接続され、その出力に前記放電管が接続された共振回路と、
直流電源の両端に接続され且つ前記共振回路内の前記トランスの一次巻線と前記コンデンサとに電流を流すための複数のスイッチング素子と、
前記各々の放電管点灯装置のバースト調光の位相に位相差を持たせるために、入力された調光用基準信号が所定値になった時に動作を開始し、自己の放電管点灯装置に対して予め定められた所定の遅延時間を設定する遅延タイマー回路と、
調光用コンデンサに対する充放電によりバースト調光用の三角波信号を発生するとともに、前記遅延タイマー回路で設定された所定の遅延時間だけ、前記調光用基準信号に対して前記三角波信号に遅延時間を発生する三角波発生器と、  
前記三角波発生器で発生した三角波信号とバースト調光信号とを比較した比較出力に基づき前記複数のスイッチング素子を間欠発振動作させるバースト調光用比較器と、
を有することを特徴とする放電管点灯装置のスキャン点灯システム。
【請求項２】
直流電力から交流電力に変換する複数の放電管点灯装置の少なくとも１つの放電管点灯装置のバースト調光の位相に位相差を持たせて前記交流電力を順次複数の放電管に供給して複数の放電管をスキャン点灯させる放電管点灯装置のスキャン点灯システムであって、
前記複数の放電管点灯装置の各々は、
トランスの一次巻線と二次巻線との少なくとも一方の巻線にコンデンサが接続され、その出力に前記放電管が接続された共振回路と、
直流電源の両端に接続され且つ前記共振回路内の前記トランスの一次巻線と前記コンデンサとに電流を流すための複数のスイッチング素子と、
前記少なくとも１つの放電管点灯装置のバースト調光の位相に位相差を持たせるために、入力された調光用基準信号が所定値になった時に動作を開始し、自己の放電管点灯装置に対して予め定められた所定の遅延時間を設定する遅延タイマー回路と、
調光用コンデンサに対する充放電によりバースト調光用の三角波信号を発生するとともに、前記遅延タイマー回路で設定された所定の遅延時間だけ、前記調光用基準信号に対して前記三角波信号に遅延時間を発生する三角波発生器と、
前記三角波発生器で発生した三角波信号とバースト調光信号とを比較した比較出力に基づき前記複数のスイッチング素子を間欠発振動作させるバースト調光用比較器と、
を有することを特徴とする放電管点灯装置のスキャン点灯システム。
【請求項３】
前記調光用基準信号は、前記各々の放電管点灯装置に入力される矩形波信号又は三角波信号であることを特徴とする請求項１又は請求項２記載の放電管点灯装置のスキャン点灯システム。
【請求項４】
前記調光用基準信号は、他の放電管点灯装置から入力される前記調光用コンデンサによる前記三角波信号であることを特徴とする請求項１又は請求項２記載の放電管点灯装置のスキャン点灯システム。
【請求項５】
前記三角波発生器は、前記遅延タイマー回路で設定される遅延時間を経過した直後に、前記三角波信号が上限値又は下限値になるように前記調光用コンデンサの電荷を充電又は放電するとともに、前記上限値又は下限値から充電開始又は放電開始を指定することで前記調光用基準信号に対して前記三角波信号に所定の遅延時間を発生することを特徴とする請求項１又は請求項２記載の放電管点灯装置のスキャン点灯システム。
【請求項６】
前記各々の放電管点灯装置の複数のスイッチング素子の間欠発振のデューティ比は等しいことを特徴とする請求項１又は請求項２記載の放電管点灯装置のスキャン点灯システム。
【請求項７】
前記バースト調光の位相差は、３６０°／(放電管点灯装置の数×Ｎ、Ｎ≧１の整数)であることを特徴とする請求項１又は請求項２記載の放電管点灯装置のスキャン点灯システム。
【請求項８】
前記バースト調光の位相差は、３６０°／（放電管の数×Ｎ、Ｎ≧１の整数）であることを特徴とする請求項１又は請求項２記載の放電管点灯装置のスキャン点灯システム。
【請求項９】
トランスの一次巻線と二次巻線との少なくとも一方の巻線にコンデンサが接続され、その出力に前記放電管が接続された共振回路と、
直流電源の両端に接続され且つ前記共振回路内の前記トランスの一次巻線と前記コンデンサとに電流を流すための複数のスイッチング素子とを有し、
前記複数のスイッチング素子をパルス幅制御することにより、直流電力から交流電力に変換する放電管点灯装置であって、
信号入力端子に入力された調光用基準信号が所定値に達した時に動作を開始して所定の遅延時間を設定する遅延タイマー回路と、
調光用コンデンサに対する充放電によりバースト調光用の三角波信号を発生するとともに、前記遅延タイマー回路で設定された所定の遅延時間だけ、前記調光用基準信号に対して前記三角波信号に遅延時間を発生する三角波発生器と、
前記三角波発生器で発生した三角波信号とバースト調光信号とを比較した比較出力に基づき前記複数のスイッチング素子を間欠発振動作させるバースト調光用比較器と、
を有することを特徴とする放電管点灯装置。
【請求項１０】
前記三角波発生器は、前記遅延タイマー回路で設定される所定の遅延時間が経過した直後に前記三角波信号が上限値又は下限値になるように前記調光用コンデンサの電荷を充電又は放電し、前記信号入力端子に前記調光用基準信号として矩形波信号が入力された場合には、前記遅延タイマー回路で設定される所定の遅延時間だけ矩形波信号に対して前記調光用コンデンサの三角波信号に所定の遅延時間を発生し、前記バースト調光用比較器は、前記矩形波信号に対して時間差を持たせてバースト調光を行ない、
前記信号入力端子に前記調光用基準信号として三角波信号が入力された場合には、前記遅延タイマー回路で設定される所定の遅延時間だけ前記調光用基準信号としての三角波信号に対して前記調光用コンデンサの三角波信号に所定の遅延時間を発生し、前記バースト調光用比較器は、前記調光用基準信号としての三角波信号に対して時間差を持たせてバースト調光を行なうことを特徴とする請求項９記載の放電管点灯装置。
【請求項１１】
前記三角波発生器は、前記遅延タイマー回路で設定される所定の遅延時間を経過した直後に前記調光用コンデンサの電荷を充電又は放電させ、前記調光用コンデンサの三角波信号のレベルが上限値又は下限値に達した後に、再度、前記調光用コンデンサに対する電荷の充放電を開始することを特徴とする請求項９記載の放電管点灯装置。
【発明の詳細な説明】
【技術分野】
【０００１】
本発明は、放電管の点灯、特に冷陰極管（ＣＣＦＬ）を用いた液晶表示機器等に使用される放電管点灯装置を複数個接続してスキャンしながら放電管を点灯させる放電管点灯装置のスキャン点灯システム及び放電管点灯装置に関する。
【背景技術】
【０００２】
放電管点灯装置において、放電管を用いた液晶表示機器の液晶画面の動画映像をより鮮明にすることが要求されている。この動画映像を鮮明にする方法として、放電管をスキャニング点灯させるスキャン点灯方法がある。
【０００３】
このスキャン点灯方法は、光の残光を抑えるために間欠発振を行なうとともに、間欠発振の位相をずらしながら放電管を点灯させるものであり、特許文献１に記載されたものが知られている。
【０００４】
特許文献１に記載されたバーストモード発生システムにおいて、位相遅延アレイは、ＰＷＭ信号発生器からのＰＷＭ信号を受信し、このＰＷＭ信号に基づいて位相をずらした複数の位相ＰＷＭ信号を生成して、複数の負荷の各々の負荷に電力を供給する。
【特許文献１】米国特許６５０１２３４Ｂ２
【発明の開示】
【発明が解決しようとする課題】
【０００５】
しかしながら、特許文献１に記載されたスキャン点灯方法では、直流−交流変換を行なう放電管点灯装置の制御ＩＣの他に、バースト調光の位相制御を行なう専用のＩＣ（位相遅延アレイ）が必要である。このため、放電管点灯装置が高価になってしまう。
【０００６】
本発明は、バースト調光の位相制御を行なう専用のＩＣが不要で安価となり、容易に放電管のスキャニング点灯が可能な放電管点灯装置のスキャン点灯システム及び放電管点灯装置を提供することにある。
【課題を解決するための手段】
【０００７】
前記課題を解決するために、本発明の放電管点灯装置のスキャン点灯システムは、直流電力から交流電力に変換する複数の放電管点灯装置の各々の放電管点灯装置のバースト調光の位相に位相差を持たせて前記交流電力を順次複数の放電管に供給して複数の放電管をスキャン点灯させる放電管点灯装置のスキャン点灯システムであって、前記複数の放電管点灯装置の各々は、トランスの一次巻線と二次巻線との少なくとも一方の巻線にコンデンサが接続され、その出力に前記放電管が接続された共振回路と、直流電源の両端に接続され且つ前記共振回路内の前記トランスの一次巻線と前記コンデンサとに電流を流すための複数のスイッチング素子と、前記各々の放電管点灯装置のバースト調光の位相に位相差を持たせるために、入力された調光用基準信号が所定値になった時に動作を開始し、自己の放電管点灯装置に対して予め定められた所定の遅延時間を設定する遅延タイマー回路と、調光用コンデンサに対する充放電によりバースト調光用の三角波信号を発生するとともに、前記遅延タイマー回路で設定された所定の遅延時間だけ、前記調光用基準信号に対して前記三角波信号に遅延時間を発生する三角波発生器と、前記三角波発生器で発生した三角波信号とバースト調光信号とを比較した比較出力に基づき前記複数のスイッチング素子を間欠発振動作させるバースト調光用比較器とを有することを特徴とする。
【発明の効果】
【０００８】
本発明によれば、複数の放電管点灯装置は、入力された１つの調光用基準信号に基づき、調光用基準信号に対して三角波信号に遅延時間を発生し、発生した三角波信号とバースト調光信号とを比較した比較出力に基づき複数のスイッチング素子を間欠発振動作させる。即ち、各々の放電管点灯装置のバースト調光の位相に位相差を持たせて交流電力を順次複数の放電管に供給して複数の放電管をスキャン点灯させるので、バースト調光の位相制御を行なう専用のＩＣが不要で安価となり、容易に放電管のスキャニング点灯が可能となる。
【発明を実施するための最良の形態】
【０００９】
以下、本発明の実施の形態に係る放電管点灯装置のスキャン点灯システム及び放電管点灯装置の実施の形態を図面を参照しながら詳細に説明する。
【実施例１】
【００１０】
図１は本発明の実施例１の放電管点灯装置の構成を示す回路図である。図５は本発明の実施例１の放電管点灯装置のスキャン点灯システムの構成を示す回路図である。
【００１１】
図５に示す４つの放電管点灯装置の各々は、図１に示すように構成されるので、最初に、放電管点灯装置について説明する。図１に示す放電管点灯装置は、直流電源Ｖｉｎとグランドとの間には、ハイサイドのＰ型ＭＯＳＦＥＴＱｐ１（Ｐ型ＦＥＴＱｐ１と称する。）とローサイドのＮ型ＭＯＳＦＥＴＱｎ１（Ｎ型ＦＥＴＱｎ１と称する。）との直列回路が接続されている。Ｐ型ＦＥＴＱｐ１とＮ型ＦＥＴＱｎ１との接続点とグランドＧＮＤとの間には、コンデンサＣ６とトランスＴの一次巻線Ｐとの直列回路が接続され、トランスＴの二次巻線Ｓの両端にはコンデンサＣ７が接続されている。なお、リアクトルＬｒは、トランスＴのリーケージインダクタンスである。
【００１２】
Ｐ型ＦＥＴＱｐ１のソースに直流電源Ｖｉｎが供給され、Ｐ型ＦＥＴＱｐ１のゲートはコントロールＩＣ１の端子ＤＲＶ１に接続されている。Ｎ型ＦＥＴＱｎ１のゲートはコントロールＩＣ１の端子ＤＲＶ２に接続されている。
【００１３】
コントロールＩＣ１は、スタート回路１０、カレントミラー回路１１、三角波発生器１２、誤差増幅器１５、ＰＷＭコンパレータ１６ａ，１６ｂ、ナンド回路１７ａ、論理回路１７ｂ、ドライバ１８ａ，１８ｂ、バースト調光用三角波発生器２１、バースト調光用比較器２５、パルス電流発生器２７を有している。
【００１４】
スタート回路１０は、直流電源Ｖｉｎの電源供給を受けて所定電圧ＲＥＧを生成して内部の各部に供給している。カレントミラー回路１１は、端子ＲＩを介して定電流決定抵抗Ｒ１の一端に接続されている。三角波発生器１２は、端子ＣＦを介してコンデンサＣ１の一端に接続されている。
【００１５】
カレントミラー回路１１は、定電流値決定抵抗Ｒ１により任意に設定される定電流を流す。三角波発生器１２は、カレントミラー回路１１の定電流によりコンデンサＣ１の充放電を行い、図３に示すような三角波信号（図３では端子ＣＦでのコンデンサＣ１の充放電電圧を示す。）を発生させ、三角波信号に基づいてクロックＣＫを生成して、ナンド回路１７ａ及び論理回路１７ｂに送る。三角波信号は、立ち上がり傾斜と立下り傾斜が同じである。立ち上がり傾斜と立下り傾斜は、コンデンサＣ１の値と抵抗Ｒ１の値によって設定される。
【００１６】
トランスＴの二次巻線Ｓの一端は放電管３の一方の電極に接続され、放電管３の他方の電極は管電流検出回路５に接続されている。管電流検出回路５は、ダイオードＤ１，Ｄ２及び抵抗Ｒ４からなり、放電管３に流れる電流を検出し、検出された電流に比例した電圧を、抵抗Ｒ３とコントロールＩＣ１ａのフィードバック端子ＦＢを介して誤差増幅器１５の−端子に出力する。
【００１７】
誤差増幅器１５は、抵抗Ｒ３を介して−端子に入力される管電流検出回路５からの電圧と＋端子に入力される基準電圧（電源電圧ＲＥＧを抵抗Ｒ５と抵抗Ｒ６とで分圧した電圧）との誤差電圧を増幅し、その出力電圧ＦＢＯＵＴをＰＷＭコンパレータ１６ａの＋端子へ送る。
【００１８】
ＰＷＭコンパレータ１６ａは、＋端子に入力される誤差増幅器１５の出力電圧ＦＢＯＵＴが−端子に入力される端子ＣＦからの三角波信号電圧以上のときにＨレベルで、出力電圧ＦＢＯＵＴが三角波信号電圧未満のときにＬレベルとなるパルス信号を生成して、ナンド回路１７ａに出力する。ＰＷＭコンパレータ１６ｂは、＋端子に入力される誤差増幅器１５の出力電圧ＦＢＯＵＴが、−端子に入力される三角波発生器１２からの三角波信号の反転波形電圧以上のときにＨレベルで、出力電圧ＦＢＯＵＴが三角波信号の反転波形電圧未満のときにＬレベルとなるパルス信号を生成して、論理回路１７ｂに出力する。
【００１９】
ナンド回路１７ａは、三角波発生器１２からのクロックとＰＷＭコンパレータ１６ａからの信号とのナンドをとりドライバ１８ａ及び端子ＤＲＶ１を介して第１駆動信号をＰ型ＦＥＴＱｐ１に出力する。論理回路１７ｂは、三角波発生器１２からのクロックを反転した信号とＰＷＭコンパレータ１６ｂからの信号とのアンドをとりドライバ１８ｂ及び端子ＤＲＶ２を介して第２駆動信号をＮ型ＦＥＴＱｎ１に出力する。
【００２０】
ＰＷＭコンパレータ１６ａ、ナンド回路１７ａ、ドライバ１８ａは、三角波信号の半周期未満に、放電管３に流れる電流に応じたパルス幅で放電管３に電流を流すようにＰ型ＦＥＴＱｐ１を駆動する第１駆動信号を発生する。ＰＷＭコンパレータ１６ｂ、論理回路１７ｂ、ドライバ１８ｂは、第１駆動信号と略同一パルス幅で略１８０度の位相差を持ち、第１駆動信号の発生時とは逆方向に放電管３に電流を流すようにＮ型ＦＥＴＱｎ１を駆動する第２駆動信号を発生する。
【００２１】
次にこのように構成された実施例１の放電管点灯装置の基本的な動作を図３を参照しながら説明する。図３は図１に示す放電管点灯装置のＲＥＦ端子がグランドに接続されている場合の放電管点灯装置の動作波形を示す図である。
【００２２】
まず、定電流決定抵抗Ｒ１で任意に設定される定電流Ｉ１により、三角波発生器１２は、コンデンサＣ１の充放電を行い、立ち上がり傾斜と立下り傾斜が同じである三角波信号ＣＦを発生させ、三角波信号ＣＦに基づいてクロックＣＫを発生させる。クロックＣＫは、三角波信号に同期した、例えば立ち上がり期間がＨレベルで、立下り期間がＬレベルとなるパルス信号である。
【００２３】
ナンド回路１７ａは、発生器１２からのクロックＣＫがＨレベルで且つＰＷＭコンパレータ１６ａからの信号がＨレベルであるときのみ、Ｌレベルのパルス信号をＰ型ＦＥＴＱｐ１に出力してオンさせる。即ち、三角波信号ＣＦの立ち上がり期間（クロックＣＫがＨレベルで例えば時刻ｔ１〜ｔ３）中で、誤差増幅器１５の出力電圧ＦＢＯＵＴが三角波信号ＣＦ以上のときに（ＰＷＭコンバータ１６ａからの信号がＨレベル、即ち、三角波信号の下限値ＶＬから三角波信号ＣＦが誤差増幅器１５の出力と交差するまでの期間で例えば時刻ｔ１〜ｔ２）Ｌレベルのパルス信号がＰ型ＦＥＴＱｐ１に出力される。即ち、パルス信号は、三角波信号ＣＦの立ち上がり期間中のみ端子ＤＲＶ１に送られる。
【００２４】
例えば、時刻ｔ１〜ｔ２においては、Ｖｉｎ→Ｑｐ１→Ｃ６→Ｐ→ＧＮＤの経路で電流が流れ、トランスＴの二次側では、Ｓ→放電管３→管電流検出回路５の経路で電流が流れる。
【００２５】
一方、論理回路１７ｄは、三角波発生器１２からのクロックＣＫ（Ｌレベル）を反転した反転出力がＨレベルで且つＰＷＭコンパレータ１６ｂからの信号がＨレベルであるときのみ、Ｈレベルのパルス信号をＮ型ＦＥＴＱｎ１に出力してオンさせる。
【００２６】
即ち、三角波信号ＣＦの立ち下がり期間（クロックＣＫがＬレベルで例えば時刻ｔ３〜ｔ５）中で、出力電圧ＦＢＯＵＴが三角波信号ＣＦの反転波形電圧以上のときに（ＰＷＭコンバータ１６ｂからの信号がＨレベル、例えば時刻（ｔ３〜ｔ４））Ｈレベルのパルス信号がＮ型ＦＥＴＱｎ１に出力される。即ち、パルス信号は、三角波信号ＣＦの立ち下がり期間中のみ端子ＤＲＶ２に送られる。
【００２７】
例えば、時刻ｔ３〜ｔ４においては、Ｐ→Ｃ６→Ｑｎ１→ＧＮＤの経路で電流が流れ、トランスＴの二次側では、管電流検出回路５→放電管３→Ｓの経路で電流が流れる。
【００２８】
以上の動作により、コントロールＩＣ１ａは、第１駆動信号と、第１駆動信号と略同一パルス幅で略１８０度の位相差を持つ第２駆動信号とにより、立ち上がり傾斜期間と立ち下り傾斜期間が同一となる三角波信号ＣＦの周波数で、Ｐ型ＦＥＴＱｐ１，Ｎ型ＦＥＴＱｎ１を交互にオン／オフさせて、放電管３に電力を供給するとともに、放電管３を流れる電流を所定値に制御する。
【００２９】
（放電管のバースト調光の動作）
次に、放電管のバースト調光の動作を説明する。図４に実施例１の放電管点灯装置のバースト調光の動作波形図を示す。ＲＩ端子に接続された定電流値決定抵抗Ｒ１でカレントミラー回路１１により任意に設定される電流Ｉ１により、ＣＢ端子に接続された低周波発振器用コンデンサＣ２の充放電が行われて、バースト調光用三角波発生器２１は、バースト調光用の三角波信号（低周波の三角波信号）を発生する。このバースト調光用三角波信号は、立ち上がり傾斜と立ち下がり傾斜が同じである。
【００３０】
バースト調光用の比較器２５は、ＣＢ端子のコンデンサＣ２の電圧と、ＢＵＲＳＴ端子に入力されたバースト調光信号とを比較し、バースト調光信号がコンデンサＣ２の電圧より低い場合には、Ｌレベルをパルス電流発生器２７に出力する。パルス電流発生器２７は、Ｌレベルが入力されるとダイオードＤ３を通して電流をＦＢ端子に出力するので、誤差増幅器１５の出力ＦＢＯＵＴは三角波信号ＣＦ（Ｃ１）未満となる。このため、出力の発振をオフさせる。従って、バースト調光信号が、コンデンサＣ２の上下限値を越えるパルス信号であるか、コンデンサＣ２の上下限値の範囲内の直流電圧である場合、ＦＢ端子にパルス状の電流を流出させ、出力を間欠発振させて供給電力を減らし、バースト調光を行なう。
【００３１】
（複数の放電管点灯装置のスキャン点灯動作）
次に、本発明の特徴である放電管点灯装置のスキャン点灯の構成及び動作について説明する。図１において、コントロールＩＣ１のＣＤ端子とＲＥＧ端子との間にはディレイタイマー回路２３が接続されている。ディレイタイマー回路２３（本発明の遅延タイマー回路に対応）は、コンデンサＣ３と抵抗Ｒ１３とで構成され、抵抗Ｒ１３の一端はＣＤ端子を介してバースト調光用三角波発生器２１に接続されている。ディレイタイマー回路２３は、入力された調光用基準信号が所定値になった時に動作を開始し、自己の放電管点灯装置に対して予め定められた所定の遅延時間を設定する。
【００３２】
バースト調光用三角波発生器２１は、図２に示すように、比較器３１，３２，３４，３８、フリップフロップ回路３３、１ショット回路３５、急速放電回路３７、定電流源４０，４１を有する。バースト調光用三角波発生器２１は、調光用コンデンサＣ２に対する充放電によりバースト調光用の三角波信号を発生するとともに、ディレイタイマー回路２３で設定された所定の遅延時間だけ、調光用基準信号に対して三角波信号に遅延時間を発生する。
【００３３】
また、三角波発生器２１は、ディレイタイマー回路２３で設定される遅延時間を経過した直後に、三角波信号が上限値又は下限値になるように調光用コンデンサＣ２の電荷を充電又は放電するとともに、上限値又は下限値から充電開始又は放電開始を指定することで調光用基準信号に対して三角波信号に所定の遅延時間を発生する。
【００３４】
バースト調光用比較器２５は、三角波発生器２１で発生した三角波信号とバースト調光信号とを比較した比較出力に基づき複数のスイッチング素子Ｑｐ１，Ｑｎ１を間欠発振動作させる。また、各々の放電管点灯装置の複数のスイッチング素子の間欠発振のデューティ比は等しい。
【００３５】
比較器３１は、ＲＥＦ端子電圧が基準電圧Ｖ６未満のときＨレベルをフロップフロップ３３のセット端子Ｓに出力する。比較器３２は、ＲＥＦ端子電圧が基準電圧Ｖ５以上のときＨレベルをフロップフロップ３３のリセット端子Ｒに出力する。なお、基準電圧Ｖ５とＶ６の関係はＶ５＞Ｖ６である。
【００３６】
フロップフロップ３３のＱ端子はＦＥＴＱ０のゲートに接続され、ＦＥＴＱ０のドレインはＣＤ端子と比較器３４の＋端子に接続されている。比較器３４は、ＣＤ端子の電圧が基準電圧Ｖ７以上のときにＨレベルを１ショット回路３５に出力する。１ショット回路３５の出力には、ＦＥＴＱ２のゲートとＦＥＴＱ３のゲートが接続されている。
【００３７】
ＦＥＴＱ３とトランジスタＱ４，Ｑ５と抵抗Ｒ１０，Ｒ１１とで急速放電回路３７を構成している。電源ＲＥＧにはＦＥＴＱ３のソースとトランジスタＱ４のコレクタとが接続され、ＦＥＴＱ３のドレインとトランジスタＱ４のエミッタとはトランジスタＱ５のベースと抵抗Ｒ１１の一端とに接続されている。トランジスタＱ５のエミッタはＣＢ端子に接続されている。
【００３８】
電源ＲＥＧとグランドの間には定電流源Ｉ１とインバータ３９と定電流源Ｉ１とが接続され、インバータ３９の出力はＣＢ端子に接続され、インバータ３９の入力はＦＥＴＱ１のゲート及び比較器３８の出力に接続されている。ＣＢ端子には比較器３８の＋端子が接続され、比較器３８の−端子は抵抗Ｒ７と抵抗Ｒ８との接続点に接続され、この接続点はトランジスタＱ４のベースに接続されるとともに、抵抗Ｒ９を介してＦＥＴＱ１のドレインとＦＥＴＱ２のドレインに接続されている。
【００３９】
また、図５に示す放電管点灯装置のスキャン点灯システムは、直流電力から交流電力に変換する複数の放電管点灯装置の各々の放電管点灯装置のバースト調光信号の位相に位相差を持たせて交流電力を順次複数の放電管に供給して複数の放電管をスキャン点灯させる。
【００４０】
複数の放電管点灯装置は、コントローラＩＣ１−１〜１−４、ＳＷネットワーク７−１〜７−４、共振回路９−１〜９−４、パネル内部に配設された放電管３−１〜３−４とを有し、放電管３−１〜３−４を点灯させる。コントロールＩＣ１−１〜１−４の各々の端子ＲＩには定電流決定抵抗Ｒ１が接続され、各々の端子ＣＢにはコンデンサＣ２が接続されている。コントロールＩＣ１−１〜１−４のＲＥＧ端子とＣＤ端子間には、抵抗Ｒ１３ａ〜１３ｄが接続され、コントロールＩＣ１−１〜１−４のＣＤ端子とグランド間には、コンデンサＣ３ａ〜Ｃ３ｄが接続されている。コントロールＩＣ１−１〜１−４のＢＵＲＳＴ端子には、バースト調光信号が入力されるようになっている。コントロールＩＣ１−１〜１−４のＲＥＧ端子には、調光用基準信号として矩形信号が入力されるようになっている。
【００４１】
なお、ＩＣ１−１〜１−４のディレイタイマー回路の抵抗とコンデンサとによる時定数は、以下のように設定されている。
【００４２】
ＩＣ１−１のＲ１３ａ×Ｃ３ａ＜ＩＣ１−２のＲ１３ｂ×Ｃ３ｂ＜ＩＣ１−３のＲ１３ｃ×Ｃ３ｃ＜ＩＣ１−４のＲ１３ｄ×Ｃ３である。
【００４３】
次にこのように構成された放電管点灯装置のスキャン点灯装置の動作を図２及び図６に示すスキャン点灯の動作波形を参照しながら説明する。
【００４４】
まず、ＲＥＦ端子に基準電圧Ｖ５以上の矩形信号ＲＥＦＶｉが入力されると、比較器３２がＨレベルをフリップフロップ３３のリセット端子Ｒに出力する。このため、フリップフロップ３３のＱ端子からのＨレベルによりＦＥＴＱ０がオンし、ＣＤ端子がグランドに接続されるため、ＣＤ端子に接続されたコンデンサＣ３の電荷が放電される。ＲＥＦ端子に基準電圧Ｖ６以下の矩形信号ＲＥＦＶｉが入力されるまで、コンデンサＣ３を０Ｖ状態で待機状態とする。
【００４５】
次に、ＲＥＦ端子に基準電圧Ｖ６以下の矩形信号ＲＥＦＶｉが入力されると、比較器３１はＨレベルをフリップフロップ３３のセット端子Ｓに出力するので、ＦＥＴＱ０はオフする。このため、電源ＲＥＧからの電力によりコンデンサＣ３の充電が開始され、ＣＤ端子電圧が基準電圧Ｖ７に達すると、比較器３４はＨレベルを１ショット回路３５に出力し、１ショット回路３５は、１パルスをＦＥＴＱ３のゲート及びＦＥＴＱ２のゲートに出力する。
【００４６】
すると、ＦＥＴＱ２がオンするため、トランジスタＱ４のベース電位を、抵抗Ｒ７と抵抗Ｒ９とで決定される電圧にし、ＦＥＴＱ３をオフさせるため、トランジスタＱ５のコレクタ電圧が、トランジスタＱ４のベース電位と同じになるように（下限値になるように）、低周波の三角波信号（ＣＢ端子波形）を急速に放電させる。
【００４７】
そして、１ショット回路３５の１パルスがなくなると、ＦＥＴＱ３のゲートはＬレベルになり、ＦＥＴＱ３がオンして、トランジスタＱ５がオフするため、コンデンサＣ２は再び電流Ｉ１で充放電を開始する。１ショット回路３５の１パルスはコンデンサＣ２の発振周波数の周期よりもはるかに短い。
【００４８】
故に、低周波の三角波信号（例えばＩＣ１−１のＣＢ）は、ＲＥＦ端子に入力される矩形信号ＲＥＦＶｉよりも、抵抗Ｒ１３、コンデンサＣ３で決定される時間分だけ遅延させることができる。即ち、ＩＣ１−１〜１−４の抵抗とコンデンサとによる時定数は、ＩＣ１−１のＲ１３ａ×Ｃ３ａ＜ＩＣ１−２のＲ１３ｂ×Ｃ３ｂ＜ＩＣ１−３のＲ１３ｃ×Ｃ３ｃ＜ＩＣ１−４のＲ１３ｄ×Ｃ３のように設定されているので、図６及び図７に示すように、位相差を持たせて、低周波の三角波信号ＩＣ１−１のＣＢ〜ＩＣ１−４のＣＢ及び放電管３−１〜３−４の放電管電流ＣＣＦＬ１ｉ〜ＣＣＦＬ４ｉを遅延させることができる。
【００４９】
従って、バースト調光の位相制御を行なう専用のＩＣを使用せずして、容易に、放電管のスキャン点灯を行なうことができる。
【実施例２】
【００５０】
図８は本発明の実施例２の放電管点灯装置のスキャン点灯システムの構成を示す回路図である。図９及び図１０は実施例２の放電管点灯装置のスキャン点灯システムのスキャン点灯の動作波形を示す図である。
【００５１】
図８では、外部から調光用基準信号を入力せずに、コントロールＩＣ−１で生成された三角波信号を調光用基準信号として用いたことを特徴とする。ＩＣ１−２〜１−４のＲＥＦ端子には、コントロールＩＣ１−１のＣＢ端子が接続されている。コントロールＩＣ１−１のＲＥＦ端子はグランドに接続され、コントロールＩＣ１−１のＲＥＧ端子及びＣＤ端子には抵抗Ｒ１３ａとコンデンサＣ３ａは接続されていない。時定数は、ＩＣ１−２のＲ１３ｂ×Ｃ３ｂ＜ＩＣ１−３のＲ１３ｃ×Ｃ３ｃ＜ＩＣ１−４のＲ１３ｄ×Ｃ３ｄのように設定されている。
【００５２】
このように実施例２によれば、コントロールＩＣ−１で生成された三角波信号を調光用基準信号として用い、図９及び図１０に示すように、位相差を持たせて、低周波の三角波信号ＩＣ１−２のＣＢ〜ＩＣ１−４のＣＢ及び放電管電流ＣＣＦＬ２ｉ〜ＣＣＦＬ４ｉを遅延させることができる。従って、実施例１の効果と同様な効果が得られる。
【実施例３】
【００５３】
図１１は本発明の実施例３の放電管点灯装置のスキャン点灯システムの構成を示す回路図である。図１２及び図１３は実施例３の放電管点灯装置のスキャン点灯システムのスキャン点灯の動作波形を示す図である。
【００５４】
図１１では、調光用の基準波形が三角波波形である場合の他の一例である。図１１では、外部から調光用基準信号を入力せずに、コントロールＩＣ−１で生成された三角波信号を調光用基準信号として用いている。ＩＣ１−２のＲＥＦ端子にはコントロールＩＣ１−１のＣＢ端子が接続され、ＩＣ１−３のＲＥＦ端子にはコントロールＩＣ１−２のＣＢ端子が接続され、ＩＣ１−４のＲＥＦ端子にはコントロールＩＣ１−３のＣＢ端子が接続されている。コントロールＩＣ１−１のＲＥＦ端子はグランドに接続され、コントロールＩＣ１−１のＲＥＧ端子及びＣＤ端子には抵抗Ｒ１３ａとコンデンサＣ３ａは接続されていない。時定数は、ＩＣ１−２のＲ１３ｂ＝ＩＣ１−３のＲ１３ｃ＝ＩＣ１−４のＲ１３ｄであり、ＩＣ１−２のＣ３ｂ＝ＩＣ１−３のＣ３ｃ＝ＩＣ１−４のＣ３ｄである。
【００５５】
このように実施例３によれば、コントロールＩＣ−１で生成された三角波信号を調光用基準信号として用い、図１２及び図１３に示すように、位相差を持たせて、低周波の三角波信号ＩＣ１−２のＣＢ〜ＩＣ１−４のＣＢ及び放電管電流ＣＣＦＬ２ｉ〜ＣＣＦＬ４ｉを遅延させることができる。従って、実施例２の効果と同様な効果が得られる。
【実施例４】
【００５６】
図１４は本発明の実施例４の放電管点灯装置のスキャン点灯システムの構成を示す回路図である。図１５及び図１６実施例４の放電管点灯装置のスキャン点灯システムのスキャン点灯の動作波形を示す図である。
【００５７】
図１４では、図５に示す実施例１の変形例であり、調光用の基準波形が矩形波形である場合の他の一例である。ＩＣ１−１の時定数Ｒ１３ａ，Ｃ３ａとＩＣ１−２の時定数Ｒ１３ａ，Ｃ３ａとが等しく、ＩＣ１−３の時定数Ｒ１３ｃ，Ｃ３ｃとＩＣ１−４の時定数Ｒ１３ｃ，Ｃ３ｃとが等しい。
【００５８】
このように実施例４によれば、２つの放電管点灯装置づつ、バースト調光の位相をずらしている。
【００５９】
なお、実施例１乃至４においては、バースト調光信号の位相差は、３６０°／(放電管点灯装置の数×Ｎ、Ｎ≧１の整数)である。また、バースト調光信号の位相差は、３６０°／（放電管の数×Ｎ、Ｎ≧１の整数）であってもよい。
【００６０】
また、三角波発生器２１は、ディレイタイマー回路２３で設定される所定の遅延時間を経過した直後に調光用コンデンサＣ２の電荷を充電させ、調光用コンデンサＣ２の三角波信号のレベルが上限値に達した後に、再度、調光用コンデンサに対する電荷の充放電を開始しても良い。
【図面の簡単な説明】
【００６１】
【図１】本発明の実施例１の放電管点灯装置の構成を示す回路図である。
【図２】図１に示す放電管点灯装置のバースト調光用三角波発生器を示す図である。
【図３】図１に示す放電管点灯装置のＤＲＶ１とＤＲＶ２の動作波形を示す図である。
【図４】図１に示す放電管点灯装置のＲＥＦ端子がグランドに接続されている場合のバースト調光の動作波形を示す図である。
【図５】本発明の実施例１の放電管点灯装置のスキャン点灯システムの構成を示す回路図である。
【図６】実施例１の放電管点灯装置のスキャン点灯システムのスキャン点灯の動作波形を示す図である。
【図７】実施例１の放電管点灯装置のスキャン点灯システムのスキャン点灯の動作波形を示す図である。
【図８】本発明の実施例２の放電管点灯装置のスキャン点灯システムの構成を示す回路図である。
【図９】実施例２の放電管点灯装置のスキャン点灯システムのスキャン点灯の動作波形を示す図である。
【図１０】実施例２の放電管点灯装置のスキャン点灯システムのスキャン点灯の動作波形を示す図である。
【図１１】本発明の実施例３の放電管点灯装置のスキャン点灯システムの構成を示す回路図である。
【図１２】実施例３の放電管点灯装置のスキャン点灯システムのスキャン点灯の動作波形を示す図である。
【図１３】実施例３の放電管点灯装置のスキャン点灯システムのスキャン点灯の動作波形を示す図である。
【図１４】本発明の実施例４の放電管点灯装置のスキャン点灯システムの構成を示す回路図である。
【図１５】実施例４の放電管点灯装置のスキャン点灯システムのスキャン点灯の動作波形を示す図である。
【図１６】実施例４の放電管点灯装置のスキャン点灯システムのスキャン点灯の動作波形を示す図である。
【符号の説明】
【００６２】
Ｔ  トランス
１ａ，１−１〜１−４  コントロールＩＣ
３，３−１〜３−４  放電管
５  管電流検出回路
７，７−１〜７−４  ＳＷネットワーク
９，９−１〜９−４  共振回路
１０  スタート回路
１１  カレントミラー回路
１２  三角波発生器
１５  誤差増幅器
１６ａ，１６ｂ  ＰＷＭコンパレータ
１８ａ，１８ｂ  ドライバ
２１  バースト調光用三角波発生器
２３  ディレイタイマー回路
２５  バースト調光用比較器
２７  パルス電流発生器
Ｑｐ１  Ｐ型ＦＥＴ
Ｑｎ１  Ｎ型ＦＥＴ
Ｒ１  定電流決定抵抗
Ｃ０〜Ｃ７  コンデンサ
【図１】
2009016164.tif 000003
【図２】
2009016164.tif 000004
【図３】
2009016164.tif 000005
【図４】
2009016164.tif 000006
【図５】
2009016164.tif 000007
【図６】
2009016164.tif 000008
【図７】
2009016164.tif 000009
【図８】
2009016164.tif 000010
【図９】
2009016164.tif 000011
【図１０】
2009016164.tif 000012
【図１１】
2009016164.tif 000013
【図１２】
2009016164.tif 000014
【図１３】
2009016164.tif 000015
【図１４】
2009016164.tif 000016
【図１５】
2009016164.tif 000017
【図１６】
2009016164.tif 000018